【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
前記ビデオデータのピクチャ中の現在ブロックのコード化モードと、前記ビデオデータの前記ピクチャ中の隣接ブロックのコード化モードとを決定することと、
境界強度値決定プロセスを実行することによって境界強度値を決定することと、ここにおいて、前記現在ブロックがイントラブロックコピー（ＩＢＣ）コード化ブロックであるか、前記隣接ブロックがＩＢＣコード化ブロックであるかのうちの少なくとも１つであり、ここにおいて、前記現在ブロックと前記隣接ブロックのどちらもイントラモードコード化されておらず、ここにおいて、前記境界強度値決定プロセスを実行することによって前記境界強度値を決定することが、ＩＢＣコード化された前記現在ブロック又は前記隣接ブロックの一方に対する参照ブロック中のいずれかの画素がイントラ予測モード又はＩＢＣモードでコード化されるかどうかを決定することと、前記参照ブロック中のいずれかの画素がイントラ予測モード又はＩＢＣモードでコード化されるかどうかの前記決定に基づいて前記境界強度値を決定することとを備え、ここにおいて、前記境界強度値を決定するための前記境界強度値決定プロセスが、前記現在ブロック又は前記隣接ブロックの一方がイントラコード化され、他方がＩＢＣコード化される場合の前記境界強度値を決定するための境界強度値決定プロセスとは異なる、
決定された前記境界強度値に基づいて、前記現在ブロックと前記隣接ブロックとの間のエッジに沿ってデブロックフィルタ処理することとを備える方法。
【請求項２】
前記境界強度値を決定するための前記境界強度値決定プロセスが、前記現在ブロック又は前記隣接ブロックの一方がＩＢＣコード化ブロックであり、他方のブロックがインターコード化ブロックである場合の前記境界強度値を決定するための境界強度値決定プロセスと同じである、請求項１に記載の方法。
【請求項３】
前記参照ブロック中のいずれかの画素がイントラモード又はＩＢＣモードでコード化されるかどうかを決定することを更に備え、ここにおいて、前記境界強度値決定プロセスを実行することによって前記境界強度値を決定することが、
前記参照ブロック中の前記画素のいずれもイントラモードでもＩＢＣモードでもコード化されないと決定することに基づいて前記境界強度値を１に等しく設定すること、又は、前記参照ブロック中のいずれかの画素がイントラモード又はＩＢＣモードでコード化されると決定することに基づいて前記境界強度値を２に等しく設定することを備える、請求項１に記載の方法。
【請求項４】
前記ピクチャ中の領域が、前記ピクチャ中の少なくとも１つのブロックのためにＩＢＣモードを使用する予測のために参照されるかどうかを決定することと、
前記ピクチャ中の前記領域が、ＩＢＣモードを使用する予測のために参照されるという決定に基づいて、前記領域のためのフィルタ処理されていない画素値を記憶することと、
前記ピクチャ中の前記領域が、ＩＢＣモードを使用する予測のために参照されないという決定に基づいて、前記領域のためのフィルタ処理されていない画素値を前記記憶することを回避することとを更に備える、請求項１に記載の方法。
【請求項５】
各領域が、ピクチャ、タイル、スライス、予測単位（ＰＵ）ブロック、コード化単位（ＣＵ）、コード化ツリーブロック（ＣＴＢ）、ＣＴＢのグループ、Ｎ×Ｎの固定されたサイズ又はＭ×Ｎの矩形区分のうちの１つを備える、請求項４に記載の方法。
【請求項６】
ビデオパラメータセット（ＶＰＳ）、シーケンスパラメータセット（ＳＰＳ）、ピクチャパラメータセット（ＰＰＳ）、スライスヘッダ、パラメータセット拡張又は補助強化情報（ＳＥＩ）メッセージのうちの１つ又は複数における情報を受信すること、
ここにおいて、前記ピクチャ中の前記領域が、前記ピクチャ中の少なくとも１つのブロックのためにＩＢＣモードを使用する予測のために参照されるかどうかを決定することが、前記ＶＰＳ、ＳＰＳ、ＰＰＳ、スライスヘッダ、パラメータセット拡張又はＳＥＩメッセージのうちの１つ以上における受信された情報に基づいて決定することを備える、を更に備える、請求項４に記載の方法。
【請求項７】
ビデオパラメータセット（ＶＰＳ）、シーケンスパラメータセット（ＳＰＳ）、ピクチャパラメータセット（ＰＰＳ）、スライスヘッダ、パラメータセット拡張又は補助強化情報（ＳＥＩ）メッセージのうちの１つ以上における情報を出力すること、ここにおいて、前記情報が、前記ピクチャ中の前記領域が前記ピクチャ中の少なくとも１つのブロックのためにＩＢＣモードを使用する予測のために参照されるかどうかを識別する、を更に備える、請求項４に記載の方法。
【請求項８】
ビデオデータを処理するための機器であって、
前記ビデオデータの隣接ブロックを記憶するように構成されたメモリと、
固定機能又はプログラマブル回路の少なくとも１つを備えるビデオコーダとを備え、前記ビデオコーダが、
前記ビデオデータのピクチャ中の現在ブロックのコード化モードと、前記ビデオデータの前記ピクチャ中の前記隣接ブロックのコード化モードとを決定することと、
境界強度値決定プロセスを実行することによって境界強度値を決定することと、ここにおいて、前記現在ブロックがイントラブロックコピー（ＩＢＣ）コード化ブロックであるか、前記隣接ブロックがＩＢＣコード化ブロックであるかのうちの少なくとも１つであり、ここにおいて、前記現在ブロックと前記隣接ブロックのどちらもイントラモードコード化されておらず、ここにおいて、前記境界強度値決定プロセスを実行することによって前記境界強度値を決定するために、前記ビデオコーダが、ＩＢＣコード化された前記現在ブロック又は前記隣接ブロックの一方に対する参照ブロック中のいずれかの画素がイントラ予測モード又はＩＢＣモードでコード化されるかどうかを決定することと、前記参照ブロック中のいずれかの画素がイントラ予測モード又はＩＢＣモードでコード化されるかどうかの前記決定に基づいて前記境界強度値を決定することとを行うように構成され、ここにおいて、前記境界強度値を決定するための前記境界強度値決定プロセスが、前記現在ブロック又は前記隣接ブロックの一方がイントラコード化され、他方がＩＢＣコード化される場合の前記境界強度値を決定するための、前記ビデオコーダによって実行される境界強度値決定プロセスとは異なる、
決定された前記境界強度値に基づいて、前記現在ブロックと前記隣接ブロックとの間のエッジに沿ってデブロックフィルタ処理することと
を行うように構成される、機器。
【請求項９】
前記境界強度値を決定するための前記境界強度値決定プロセスが、前記現在ブロック又は前記隣接ブロックの一方がＩＢＣコード化ブロックであり、他方のブロックがインターコード化ブロックである場合の前記境界強度値を決定するための境界強度値決定プロセスと同じである、請求項８に記載の機器。
【請求項１０】
前記ビデオコーダが、前記参照ブロック中のいずれかの画素がイントラモード又はＩＢＣモードでコード化されるかどうかを決定するように構成され、ここにおいて、前記境界強度値決定プロセスを実行することによって前記境界強度値を決定するために、前記ビデオコーダが、
前記参照ブロック中の前記画素のいずれもイントラモードでもＩＢＣモードでもコード化されないという前記決定に基づいて前記境界強度値を１に等しく設定すること、又は、前記参照ブロック中のいずれかの画素がイントラモード又はＩＢＣモードでコード化されるという前記決定に基づいて前記境界強度値を２に等しく設定することを行うように構成される、請求項８に記載の機器。
【請求項１１】
前記ビデオコーダが、
前記ピクチャ中の領域が、前記ピクチャ中の少なくとも１つのブロックのためにＩＢＣモードを使用する予測のために参照されるかどうかを決定することと、
前記ピクチャ中の前記領域が、ＩＢＣモードを使用する予測のために参照されるという決定に基づいて、前記領域のためのフィルタ処理されていない画素値を、前記メモリユニットに記憶することと、
前記ピクチャ中の前記領域が、ＩＢＣモードを使用する予測のために参照されないという決定に基づいて、前記領域のためのフィルタ処理されていない画素値を前記記憶することを回避することとを行うように構成される、請求項８に記載の機器。
【請求項１２】
各領域が、ピクチャ、タイル、スライス、予測単位（ＰＵ）ブロック、コード化単位（ＣＵ）、コード化ツリーブロック（ＣＴＢ）、ＣＴＢのグループ、Ｎ×Ｎの固定されたサイズ又はＭ×Ｎの矩形区分のうちの１つを備える、請求項１１に記載の機器。
【請求項１３】
前記ビデオコーダがビデオデコーダを備え、ここにおいて、前記ビデオデコーダが、
ビデオパラメータセット（ＶＰＳ）、シーケンスパラメータセット（ＳＰＳ）、ピクチャパラメータセット（ＰＰＳ）、スライスヘッダ又は補助強化情報（ＳＥＩ）メッセージのうちの１つ以上における情報を受信することを行うように構成され、
ここにおいて、前記ピクチャ中の前記領域が、前記ピクチャ中の少なくとも１つのブロックのためにＩＢＣモードを使用する予測のために参照されるかどうかを決定するために、前記ビデオデコーダが、前記ＶＰＳ、ＳＰＳ、ＰＰＳ、スライスヘッダ又はＳＥＩメッセージのうちの１つ以上における受信された情報に基づいて決定するように構成される、請求項１１に記載の機器。
【請求項１４】
前記ビデオコーダがビデオエンコーダを備え、ここにおいて、前記ビデオエンコーダが、
ビデオパラメータセット（ＶＰＳ）、シーケンスパラメータセット（ＳＰＳ）、ピクチャパラメータセット（ＰＰＳ）、スライスヘッダ又は補助強化情報（ＳＥＩ）メッセージのうちの１つ以上における情報を出力すること、ここにおいて、前記情報が、前記ピクチャ中の前記領域が前記ピクチャ中の少なくとも１つのブロックのためにＩＢＣモードを使用する予測のために参照されるかどうかを識別する、を行うように構成される、請求項１１に記載の機器。
【請求項１５】
前記機器が、
集積回路（ＩＣ）、
マイクロプロセッサ、又は
前記ピクチャをキャプチャするためのカメラ若しくは前記ピクチャを表示するための表示器のうちの少なくとも１つを含む、ワイヤレス通信機器のうちの１つ以上を備える、請求項８に記載の機器。
【請求項１６】
実行されたとき、ビデオデータを処理するための機器の１つ以上のプロセッサに、
前記ビデオデータのピクチャ中の現在ブロックのコード化モードと、前記ビデオデータの前記ピクチャ中の隣接ブロックのコード化モードとを決定することと、
境界強度値決定プロセスを実行することによって境界強度値を決定することと、ここにおいて、前記現在ブロックがイントラブロックコピー（ＩＢＣ）コード化ブロックであるか、前記隣接ブロックがＩＢＣコード化ブロックであるかのうちの少なくとも１つであり、ここにおいて、前記現在ブロックと前記隣接ブロックのどちらもイントラモードコード化されておらず、ここにおいて、前記境界強度値決定プロセスを実行することによって前記境界強度値を決定することを、前記１つ以上のプロセッサに行わせる命令が、ＩＢＣコード化された前記現在ブロック又は前記隣接ブロックの一方に対する参照ブロック中のいずれかの画素がイントラ予測モード又はＩＢＣモードでコード化されるかどうかを決定することと、前記参照ブロック中のいずれかの画素がイントラ予測モード又はＩＢＣモードでコード化されるかどうかの前記決定に基づいて前記境界強度値を決定することとを、前記１つ以上のプロセッサに、行わせる命令を備え、ここにおいて、前記境界強度値を決定するための前記境界強度値決定プロセスが、前記現在ブロック又は前記隣接ブロックの一方がイントラコード化され、他方がＩＢＣコード化される場合の前記境界強度値を決定するための境界強度値決定プロセスとは異なる、
決定された前記境界強度値に基づいて、前記現在ブロックと前記隣接ブロックとの間のエッジに沿ってデブロックフィルタ処理することとを行わせる命令を記憶した、コンピュータ可読記憶媒体。
【請求項１７】
前記境界強度値を決定するための前記境界強度値決定プロセスが、前記現在ブロック又は前記隣接ブロックの一方がＩＢＣコード化ブロックであり、他方のブロックがインターコード化ブロックである場合の前記境界強度値を決定するための境界強度値決定プロセスと同じである、請求項１６に記載のコンピュータ可読記憶媒体。
【請求項１８】
前記参照ブロック中のいずれかの画素がイントラモード又はＩＢＣモードでコード化されるかどうかを決定することを、前記１つ以上のプロセッサに行わせる命令を更に備え、ここにおいて、前記境界強度値決定プロセスを実行することによって前記境界強度値を決定することを、前記１つ以上のプロセッサに行わせる前記命令が、
前記参照ブロック中の前記画素のいずれもイントラモードでもＩＢＣモードでもコード化されないという前記決定に基づいて前記境界強度値を１に等しく設定すること、又は、前記参照ブロック中のいずれかの画素がイントラモード又はＩＢＣモードでコード化されるという前記決定に基づいて前記境界強度値を２に等しく設定すること
を、前記１つ以上のプロセッサに行わせる命令を備える、請求項１６に記載のコンピュータ可読記憶媒体。
【請求項１９】
前記１つ以上のプロセッサに、
前記ピクチャ中の領域が、前記ピクチャ中の少なくとも１つのブロックのためにＩＢＣモードを使用する予測のために参照されるかどうかを決定することと、
前記ピクチャ中の前記領域が、ＩＢＣモードを使用する予測のために参照されるという決定に基づいて、前記領域のためのフィルタ処理されていない画素値を記憶することと、
前記ピクチャ中の前記領域が、ＩＢＣモードを使用する予測のために参照されないという決定に基づいて、前記領域のためのフィルタ処理されていない画素値を前記記憶することを回避することとを行わせる命令を更に備える、請求項１６に記載のコンピュータ可読記憶媒体。
【請求項２０】
ビデオデータを処理するための機器であって、
前記ビデオデータのピクチャ中の現在ブロックのコード化モードと、前記ビデオデータの前記ピクチャ中の隣接ブロックのコード化モードとを決定するための手段と、
境界強度値決定プロセスを実行することによって境界強度値を決定するための手段と、ここにおいて、前記現在ブロックがイントラブロックコピー（ＩＢＣ）コード化ブロックであるか、前記隣接ブロックがＩＢＣコード化ブロックであるかのうちの少なくとも１つであり、ここにおいて、前記現在ブロックと前記隣接ブロックのどちらもイントラモードコード化されておらず、ここにおいて、前記境界強度値決定プロセスを実行することによって前記境界強度値を決定するための前記手段が、ＩＢＣコード化された前記現在ブロック又は前記隣接ブロックの一方に対する参照ブロック中のいずれかの画素がイントラ予測モード又はＩＢＣモードでコード化されるかどうかを決定するための手段と、前記参照ブロック中のいずれかの画素がイントラ予測モード又はＩＢＣモードでコード化されるかどうかの前記決定に基づいて前記境界強度値を決定するための手段とを備え、ここにおいて、前記境界強度値を決定するための前記境界強度値決定プロセスが、前記現在ブロック又は前記隣接ブロックの一方がイントラコード化され、他方がＩＢＣコード化される場合の前記境界強度値を決定するための境界強度値決定プロセスとは異なる、
決定された前記境界強度値に基づいて、前記現在ブロックと前記隣接ブロックとの間のエッジに沿ってデブロックフィルタ処理するための手段とを備える機器。
【請求項２１】
前記境界強度値を決定するための前記境界強度値決定プロセスが、前記現在ブロック又は前記隣接ブロックの一方がＩＢＣコード化ブロックであり、他方のブロックがインターコード化ブロックである場合の前記境界強度値を決定するための境界強度値決定プロセスと同じである、請求項２０に記載の機器。
【請求項２２】
前記参照ブロック中のいずれかの画素がイントラモード又はＩＢＣモードでコード化されるかどうかを決定することを更に備え、ここにおいて、前記境界強度値決定プロセスを実行することによって前記境界強度値を決定するための前記手段が、
前記参照ブロック中の前記画素のいずれもイントラモードでもＩＢＣモードでもコード化されないという前記決定に基づいて前記境界強度値を１に等しく設定するための手段、又は前記参照ブロック中のいずれかの画素がイントラモード又はＩＢＣモードでコード化されるという前記決定に基づいて前記境界強度値を２に等しく設定するための手段を備える、請求項２０に記載の機器。
【請求項２３】
前記ピクチャ中の領域が、前記ピクチャ中の少なくとも１つのブロックのためにＩＢＣモードを使用する予測のために参照されるかどうかを決定するための手段と、
前記ピクチャ中の前記領域が、ＩＢＣモードを使用する予測のために参照されるという決定に基づいて、前記領域のためのフィルタ処理されていない画素値を記憶するための手段と、
前記ピクチャ中の前記領域が、ＩＢＣモードを使用する予測のために参照されないという決定に基づいて、前記領域のためのフィルタ処理されていない画素値を前記記憶することを回避するための手段とを更に備える、請求項２０に記載の機器。